(57)【要約】【課題】特定の権限を有する係員が、煩わしい作業を行う事無く装置内部の錠部を簡易な仕組みにて開錠できる自動取引装置を提供する【解決手段】ＩＤカードを読み取るカード読取部と、前記カード読取部が前記ＩＤカードを読み取るとロックが解除される装置扉と、装置内部に設けられ、ロックが解除された前記装置扉が開いた際に抜き取り可能な鍵が装着された鍵装着部と、抜き取られた鍵によって開錠される錠部と、を備える、自動取引装置。【選択図】図３
2015026249.tif 000002
【特許請求の範囲】
【請求項１】
ＩＤカードを読み取るカード読取部と、
前記カード読取部が前記ＩＤカードを読み取るとロックが解除される装置扉と、
装置内部に設けられ、ロックが解除された前記装置扉が開いた際に抜き取り可能な鍵が装着された鍵装着部と、
抜き取られた鍵によって開錠される錠部と、
を備える、自動取引装置。
【請求項２】
請求項１に記載の自動取引装置において、
前記錠部は、現金を収納する着脱可能な現金収納部に設けられている、自動取引装置。
【請求項３】
請求項１又は２に記載の自動取引装置において、
前記鍵が前記鍵装着部に装着されている場合には、取引可能とし、
前記鍵が前記鍵装着部から抜き取られている場合には、取引中止とさせる制御部を更に備える、自動取引装置。
【請求項４】
請求項３に記載の自動取引装置において、
前記鍵は、前記鍵装着部から抜取りできる抜取位置と、前記鍵装着部から抜取りできない取引位置との間で回動可能であり、
前記制御部は、前記鍵が前記抜取位置に位置する場合には、取引中止とさせる、自動取引装置。
【請求項５】
請求項３又は４に記載の自動取引装置において、
前記鍵装着部に装着された前記鍵をロックするロック機構を有し、
前記制御部は、前記カード読取部が前記ＩＤカードを読み取ると、前記鍵が前記鍵装着部から抜取り可能となるように前記ロック機構のロックを解除する、自動取引装置。
【請求項６】
請求項５に記載の自動取引装置において、
前記制御部は、前記自動取引装置の操作権限を示す権限情報が前記ＩＤカードに記憶されている場合に、前記ロック機構のロックを解除する、自動取引装置。
【請求項７】
請求項１〜６のいずれか１項に記載の自動取引装置において、
前記鍵装着部は、前記カード読取部が前記ＩＤカードを読み取ると発光する発光部を有する、自動取引装置。
【請求項８】
請求項１〜７のいずれか１項に記載の自動取引装置において、
前記鍵装着部に接続された配線の断線を検知する断線検知部と、
前記断線検知部により断線が検知されると、報知を行う報知部と、
を更に備える、自動取引装置。
【発明の詳細な説明】
【技術分野】
【０００１】
本発明は、鍵により錠部を開錠する自動取引装置に関する。
【背景技術】
【０００２】
昨今、金融機関の営業店等にＡＴＭ（Ａｕｔｏｍａｔｅｄ  ｔｅｌｌｅｒ  ｍａｃｈｉｎｅ）に代表される自動取引装置が設置されている。自動取引装置は、現金（紙幣や硬貨）の入金取引や出金取引等に利用される。
【０００３】
自動取引装置の中には、権限の無い第三者が装置内部にアクセスすることを防止するために、例えば外部の鍵保管機の中に置かれた鍵にて開錠可能な錠部を有するものがある。また、自動取引装置の中には、鍵の代わりに、ＩＤカードが認証されると装置内部にアクセスできる仕組みもある（特許文献１参照）。
【先行技術文献】
【特許文献】
【０００４】
【特許文献１】特開２００１−２４３５１７号公報
【発明の概要】
【発明が解決しようとする課題】
【０００５】
しかし、例えば現金を収納するカセット等の一部のユニットについては、ＩＤカードに置き換えることができず、外部の鍵保管機にて保管された鍵にて錠部を開錠する必要がある。通常、自動取引装置と鍵保管機は離れた位置に存在するため、鍵を持って移動する必要があり、係員に煩わしい作業を強いることになる。また、鍵保管機のセキュリティーを確保する必要もある。
【０００６】
そこで、本発明は、上記問題に鑑みてなされたものであり、本発明の目的とするところは、特定の権限を有する係員が、煩わしい作業を行う事無く装置内部の錠部を簡易な仕組みにて開錠できる自動取引装置を提供することにある。
【課題を解決するための手段】
【０００７】
上記課題を解決するために、本発明のある観点によれば、ＩＤカードを読み取るカード読取部と、前記カード読取部が前記ＩＤカードを読み取るとロックが解除される装置扉と、装置内部に設けられ、ロックが解除された前記装置扉が開いた際に抜き取り可能な鍵が装着された鍵装着部と、抜き取られた鍵によって開錠される錠部と、を備える、自動取引装置が提供される。
【０００８】
かかる自動取引装置によれば、係員は、ＩＤカードを持参していれば、鍵をわざわざ持参しなくても、鍵装着部から鍵を抜き取って錠部を開錠することができる。このため、セキュリティーを維持しつつ、簡易な仕組みにて錠部を開錠することができる。また、鍵を外部の鍵保管機に鍵を保管する必要が無くなるので、係員に煩わしい作業を強いることも無い。
【０００９】
また、上記の自動取引装置において、前記錠部は、現金を収納する着脱可能な現金収納部に設けられても良い。
【００１０】
また、上記の自動取引装置において、前記鍵が前記鍵装着部に装着されている場合には、取引可能とし、前記鍵が前記鍵装着部から抜き取られている場合には、取引中止とさせる制御部を更に備えても良い。
【００１１】
また、上記の自動取引装置において、前記鍵は、前記鍵装着部から抜取りできる抜取位置と、前記鍵装着部から抜取りできない取引位置との間で回動可能であり、前記制御部は、前記鍵が前記抜取位置に位置する場合には、取引中止とさせても良い。
【００１２】
また、上記の自動取引装置において、前記鍵装着部に装着された前記鍵をロックするロック機構を有し、前記制御部は、前記カード読取部が前記ＩＤカードを読み取ると、前記鍵が前記鍵装着部から抜取り可能となるように前記ロック機構のロックを解除しても良い。
【００１３】
また、上記の自動取引装置において、前記制御部は、前記自動取引装置の操作権限を示す権限情報が前記ＩＤカードに記憶されている場合に、前記ロック機構のロックを解除しても良い。
【００１４】
また、上記の自動取引装置において、前記鍵装着部は、前記カード読取部が前記ＩＤカードを読み取ると発光する発光部を有しても良い。
【００１５】
また、上記の自動取引装置において、前記鍵装着部に接続された配線の断線を検知する断線検知部と、前記断線検知部により断線が検知されると、報知を行う報知部と、を更に備えても良い。
【発明の効果】
【００１６】
以上説明したように本発明によれば、特定の権限を有する係員が、煩わしい作業を行う事無く装置内部の錠部を簡易な仕組みにて開錠することが可能となる。
【図面の簡単な説明】
【００１７】
【図１】本発明の一実施形態に係る自動取引装置１０の概要を説明するための図である。
【図２】自動取引装置１０の背面側の構成の一例を示す斜視図である。
【図３】自動取引装置１０の内部構成の一例を示す図である。
【図４】鍵保管部１５０の外観構成の一例を示す図である。
【図５】鍵保管部１５０の内部構成の一例を示す図である。
【図６】鍵保管部１５０の内部構成の一例を示す図である。
【図７】自動取引装置１０の機能構成の一例を示すブロック図である。
【図８】鍵１５８にて錠部１１４が開錠された紙幣カセット１１２の引き出し状態を示す図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．自動取引装置の構成＞
（１−１．自動取引装置の概要）
図１を参照しながら、本発明の一実施形態に係る自動取引装置１０の概要について説明する。図１は、本発明の一実施形態に係る自動取引装置１０の概要を説明するための図である。図２は、自動取引装置１０の背面側の構成の一例を示す斜視図である。
【００２０】
自動取引装置１０は、金融機関の顧客による操作に基づいて金銭の取引を実行する顧客操作型端末である。この自動取引装置１０は、金融機関の営業店、コンビニエンスストア、駅構内、ホテル、病院、アミューズメントパーク、飲食店、オフィスビルディングなどの多様な施設に設置される。
【００２１】
自動取引装置１０は、図１に示すように、前面側に、顧客操作表示部１２と、通帳挿入部１４と、カード挿入部１６と、接客部１８と、を備える。
【００２２】
顧客操作表示部１２は、顧客による操作の誘導画面を表示する表示部および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。なお、図１においては表示部および顧客操作部の機能が自動取引装置１０において一体的に構成される例を示しているが、表示部および顧客操作部の機能は分離して構成されてもよい。
【００２３】
通帳挿入部１４は、顧客の通帳の挿入および排出を行う。通帳挿入部１４は、通帳が挿入される通帳挿入口１４ａを有する。なお、通帳は、顧客に関する顧客情報を記録した磁気ストライプを有する。
【００２４】
カード挿入部１６は、顧客の取引カード（例えば、キャッシュカード、クレジットカード、振込カード等）の挿入および排出を行う。カード挿入部１６は、取引カードが挿入されるカード挿入口１６ａを有する。取引カードは、現金支払い・預け入れ等に必要な顧客情報が記録された磁気ストライプやＩＣチップを有する。
【００２５】
接客部１８は、顧客による現金（紙幣及び硬貨）の入金口、および顧客への現金の出金口としての機能を有する。なお、接客部１８には、入金口（出金口）を開閉可能なシャッターが設けられている。
【００２６】
自動取引装置１０は、図２に示すように、背面側に、係員操作部２２と、装着扉の一例である背面扉２６と、を有する。
【００２７】
係員操作部２２は、図２に示すように背面扉２６の上部に設けられており、自動取引装置１０の係員が操作を行う部分である。係員操作部２２は、ＩＤカードリーダー２３と、表示入力部２４と、を有する。
【００２８】
ＩＤカードリーダー２３は、ＩＤカード２８を読み取るカード読取部である。ここで、ＩＤカード２８は、係員に渡されたカードである。ＩＤカードリーダー２３は、読み取ったＩＤカード２８が認証可能なカードか否かを判定する。ＩＤカード２８は、ＩＤカードリーダー２３が適切に読取りできれば、例えば非接触ＩＣカードや磁気カードであっても良い。
【００２９】
表示入力部２４は、係員に情報を表示する表示部の機能と、係員が入力を行う入力部の機能とを有する。表示部は、例えば液晶表示装置であり、自動取引装置１０の状態に関する情報を表示する。入力部は、例えばタッチ入力が可能なタッチパネルであり、係員が入力した暗証番号を受け付ける。
【００３０】
背面扉２６は、自動取引装置１０の背面を覆う開閉可能な扉である。背面扉２６は、係員が装置内部にアクセスする際に開くようになっている。例えば、係員は、装置内部に設けられた紙幣カセット１１２（図３）に紙幣を補充、又は硬貨カセット１２２（図３）に硬貨を補充するために、背面扉２６を開ける。背面扉２６には、係員が開閉する際に持つ取っ手部２７が設けられている。
【００３１】
ところで、本実施形態に係る背面扉２６は、電磁ロック式の扉である。そして、背面扉２６は、ＩＤカードリーダー２３によるＩＤカード２８の読取り後に係員が入力した暗証番号が正しいと、電磁ロックが解除されて開くことが可能である。ただし、上記に限定されず、係員が暗証番号を入力しなくても、ＩＤカードリーダー２３がＩＤカード２８を認証すると、背面扉２６の電磁ロックが解除されて開くこととしても良い。このように、背面扉２６は、鍵では無く、ＩＤカードリーダー２３がＩＤカード２８を読み取ると電磁ロックが解除され開くものである。これにより、正当な権限を有しない第三者が背面扉２６を開けることを防止できる。
【００３２】
自動取引装置１０は、専用網３０（図１）を介して金融機関ホスト４０と通信可能に接続されている。専用網３０は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。
【００３３】
金融機関ホスト４０は、専用網３０を介して自動取引装置１０と通信することにより、各種取引を制御する。例えば、金融機関ホスト４０は、自動取引装置１０を操作する顧客の認証を行ったり、自動取引装置１０において顧客により指示された入金や振込などの金銭取引（勘定の取引処理）を実行したりする。また、金融機関ホスト４０は、口座番号、暗証番号、氏名、住所、年齢、生年月日、電話番号、職業、家族構成、年収、預金残高などの顧客情報（口座の元帳）を管理する。
【００３４】
なお、上記では、装着扉が自動取引装置１０の背面に設けられた背面扉２６であることとしたが、これに限定されない。例えば、装着扉２６は自動取引装置１０の側面や上面に設けられた扉であっても良い。
【００３５】
（１−２．自動取引装置の内部構成）
図３を参照しながら、自動取引装置１０の内部構成の一例について説明する。図３は、自動取引装置１０の内部構成の一例を示す図である。なお、図３では、自動取引装置１０の背面扉２６が開いた状態が示されている。
【００３６】
自動取引装置１０は、図３に示すように、扉開閉検知部１０２と、紙幣処理部１１０と、硬貨処理部１２０と、通帳処理部１３０と、カード処理部１４０と、鍵装着部の一例である鍵保管部１５０と、制御部１８０と、を有する。
【００３７】
扉開閉検知部１０２は、背面扉２６の開閉を検知する。扉開閉検知部１０２は、装置の底部に設けられた検知スイッチを有し、当該検知スイッチによって背面扉２６の開閉を検知する。
【００３８】
紙幣処理部１１０は、紙幣の入金処理、出金処理等を行う。例えば、紙幣処理部１１０は、顧客が接客部１８（図１）に挿入した紙幣を装置内部に取り込み、又は装置内部の紙幣を接客部１８に排出する。紙幣処理部１１０は、紙幣を収納する着脱可能な紙幣カセット１１２を有する。係員は、紙幣カセット１１２を引き出して、紙幣カセット１１２に収納された紙幣を回収し、又は紙幣カセット１１２に紙幣を補充する。
【００３９】
紙幣カセット１１２には、鍵保管部１５０に保管された鍵１５８によって施錠又は開錠可能な錠部１１４が設けられている。錠部１１４が鍵１５８によって開錠されることで、紙幣カセット１１２のロックが解除される。これにより、係員は、紙幣カセット１１２を引き出して、紙幣を回収又は補充できる。なお、上記では、紙幣カセット１１２を引き出して紙幣を回収又は補充することとしたが、これに限定されず、ロックが解除されると紙幣カセット１１２を回動させる構成であっても良い。
【００４０】
硬貨処理部１２０は、硬貨の入金処理、出金処理等を行う。例えば、硬貨処理部１２０は、顧客が接客部１８に挿入した硬貨を装置内部に取り込み、又は装置内部の硬貨を接客部１８に排出する。硬貨処理部１２０は、硬貨を収納する着脱可能な硬貨カセット１２２を有する。係員は、硬貨カセット１２２を引き出して、硬貨カセット１２２に収納された硬貨を回収し、又は硬貨カセット１２２に硬貨を補充する。
【００４１】
硬貨カセット１２２には、鍵保管部１５０に保管された鍵１５８によって施錠又は開錠可能な錠部１２４が設けられている。錠部１２４が鍵１５８によって開錠されることで、硬貨カセット１２２のロックが開錠される。これにより、係員は、硬貨カセット１２２を引き出して、硬貨を回収又は補充できる。
【００４２】
通帳処理部１３０は、通帳挿入部１４（図１）から挿入された通帳に対する処理を行う。通帳処理部１３０は、カードリーダーを有し、挿入された通帳に記録された顧客情報を読み取る。
【００４３】
カード処理部１４０は、カード挿入部１６（図１）から挿入された取引カード（例えば、キャッシュカード、クレジットカード、振込カード等）に対する処理を行う。カード処理部１４０は、カードリーダーを有し、挿入された取引カードに記録された顧客情報を読取る。なお、カード処理部１４０は、取引内容に関するレシートの印字も行う。カード処理部１４０は、取引カードと共に印字したレシートをカード挿入部１６から排出する。
【００４４】
鍵保管部１５０は、自動取引装置１０の内部に設けられ、電磁ロックが解除された背面扉２６が開いた際に抜き取り可能な鍵１５８を装着している。鍵１５８は、現金収納部である紙幣カセット１１２や硬貨カセット１２２に設けられた錠部１１４、１２４を開錠又は施錠するためのものである。鍵保管部１５０は、係員が背面扉２６を開けた際にアクセスしやすい部分に設けられている。例えば、鍵保管部１５０は、図３に示すように制御部１８０の背面側に取り付けられている。なお、鍵保管部１５０の詳細構成については、後述する。
【００４５】
制御部１８０は、自動取引装置１０の動作を制御する。制御部１８０は、記憶部に記憶されたプログラムを実行することで、自動取引装置１０の動作を制御する。なお、記憶部には、プログラム以外に、自動取引装置１０による取引に関する各種データを記憶する。また、制御部１８０は、専用網３０を介して金融機関ホスト４０と通信を行い、取引を行う。
【００４６】
＜２．鍵保管部の構成＞
本実施形態に係る鍵保管部１５０の構成を説明する前に、従来例に係る自動取引装置について説明する。
【００４７】
従来例に係る自動取引装置の鍵管理は、装置毎に鍵を鍵保管機に保管していた。このため、鍵保管機に保管された鍵を取り出して使用していた。かかる場合には、正当な権限を有しない第三者が、鍵保管機から鍵を取り出して悪用する恐れがある。
【００４８】
また、従来例に係る自動取引装置の中には、鍵の代わりに、ＩＤカードリーダーが所定の権限を有するＩＤカードを読み取ると、扉等を開閉するものがある。しかし、現金を収納するカセット（紙幣カセットや硬貨カセット）については、装置から引き出される等の観点から、ＩＤカードによるロックに置き換えることが困難である。このため、カセットに現金を補充等する際には、鍵保管機から取り出した鍵を用いてカセットのロックを解除して引き出されていた。
【００４９】
しかし、通常、自動取引装置と鍵保管機は離れた位置に存在するため、鍵を持って移動する必要があり、係員に煩わしい作業を強いることになる。また、鍵保管機のセキュリティーを確保する必要もある。
【００５０】
そこで、上述した問題を解決すべく、本実施形態に係る自動取引装置１０では、装置内部に鍵保管部１５０を設け、ＩＤカード２８で背面扉２６を開けると、鍵保管部１５０に装着された鍵１５８を抜き出すことができる構成となっている。これにより、係員は、ＩＤカード２８を持参していれば、鍵をわざわざ持参しなくても、鍵保管部１５０から鍵１５８を抜き取って錠部１１４、１２４を開錠することができる。このため、セキュリティーを維持しつつ、簡易な仕組みにて錠部１１４、１２４を開錠することができる。また、鍵を外部の鍵保管機に鍵を保管する必要が無くなるので、係員に煩わしい作業を強いることも無い。
【００５１】
（鍵保管部の詳細構成）
図４を参照しながら、本実施形態に係る鍵保管部１５０の詳細構成について説明する。図４は、鍵保管部１５０の外観構成の一例を示す図である。なお、図４（ａ）は鍵１５８が運用位置に位置する状態を示し、図４（ｂ）は鍵１５８が取出し位置に位置する状態を示す。
【００５２】
鍵保管部１５０は、自動取引装置１０の内部に設けられ、鍵１５８を保管する。鍵保管部１５０は、図４に示すように、本体部１５１と、着脱部１５２と、位置表示部１５３は、ＬＥＤ表示部１５４と、を有する。
【００５３】
本体部１５１は、例えば長方体形状で形成され、鍵保管部１５０の本体を成す。本体部１５１の内部には、後述するように、鍵１５８の着脱を可能とする機構や、鍵１５８の位置を検知する機構が設けられている。
【００５４】
着脱部１５２は、本体部１５１の前面１５１ａの中央側に設けられており、着脱部１５２に対して鍵１５８が装着又は抜き取られる。着脱部１５２は、装着された鍵１５８を取出し位置と運用位置の間で回転可能な構成となっている。ここで、取出し位置は、鍵１５８を着脱部１５２から抜き取りできる位置である。運用位置は、鍵１５８を着脱部１５２から抜き取りできない位置である。また、本実施形態では、鍵１５８が運用位置に位置している場合には、取引が可能であり、鍵１５８が取出し位置に位置している場合には、取引が中止される。
【００５５】
位置表示部１５３は、着脱部１５２の周囲に設けられ、着脱部１５２に装着された鍵１５８の運用位置と取出し位置を示すものである。このような位置表示部１５３により、係員は鍵１５８の位置を直感的に理解できる。なお、位置表示部１５３は、文字が印刷されていても良く、又は文字が刻印されていても良い。
【００５６】
ＬＥＤ表示部１５４は、本体部１５１の前面１５１ａの隅に設けられ、光を点灯又は点滅可能な発光部の機能を有する。例えば、ＬＥＤ表示部１５４は、ＩＤカードリーダー２３がＩＤカードを読み取ると（別言すれば、着脱部１５２に装着された鍵１５８を抜くことができる状態になると）、点灯する。また、ＬＥＤ表示部１５４は、鍵１５８の取出しが可能なことを示す文字を表示する機能も有する。係員は、ＬＥＤ表示部１５４が点灯されていると鍵１５８を抜き取ることが可能と判断し、運用位置に位置する鍵１５８を取出し位置に回転させた後に引っ張る。
【００５７】
次に、図５及び図６を参照しながら、鍵保管部１５０の本体部１５１の内部構成の一例について説明する。図５及び図６は、鍵保管部１５０の内部構成の一例を示す図である。なお、図５は、回転円盤１６２がロックされた状態を示し、図６は、回転円盤１６２がロックされていない状態を示す。
【００５８】
鍵保管部１５０は、図５に示すように、シリンダー１６１と、回転円盤１６２と、検知部材１６３と、回動部１６４と、アクチュエータ１６５と、バネ１６６と、を有する。なお、これらの部材が、着脱部１５２に装着された鍵１５８の回転をロックさせるロック機構として機能する。
【００５９】
シリンダー１６１は、円筒状の部材であり、前述した鍵１５８が着脱可能な着脱部１５２を構成する。シリンダー１６１は、装着された鍵１５８を係員が回転させると一緒に回転する。シリンダー１６１は、回転円盤１６２の中央部と連結されている。
【００６０】
回転円盤１６２は、連結されたシリンダー１６１の回転に連動して回転する。回転円盤１６２の外周側には、ロック溝１６２ａ及び検知溝１６２ｂが形成されている。ロック溝１６２ａは、凹状に形成された溝である。回動部１６４がロック溝１６２ａに入り込むことで、回転円盤１６２（鍵１５８）の回転がロックされる。検知溝１６２ｂも、凹状に形成された溝である。検知溝１６２ｂには、鍵１５８の運用位置を検知する検知部材１６３が入り込み可能である。
【００６１】
検知部材１６３は、鍵１５８の運用位置を検知するためのものである。検知部材１６３は、回転円盤１６２の外周面に接触可能な板状の検知スイッチ１６３ａを有する。検知スイッチ１６３ａは、回転円盤１６２の検知溝１６２ｂに入り込むことで、鍵１５８が運用位置に位置することを検知する。
【００６２】
回動部１６４は、板状の部材を連結した構成となっており、回動可能に設けられている。具体的には、回動部１６４は、第１レバー１６４ａと、第２レバー１６４ｂと、連結棒１６４ｃと、回転軸１６４ｄと、を有する。
【００６３】
第１レバー１６４ａの一端側はアクチュエータ１６５に連結され、他端側はバネ１６６に連結されている。第１レバー１６４ａは、図５に示す方向Ａ１、Ａ２に移動可能である。第２レバー１６４ｂは、第１レバー１６４ａに移動に連動して図５に示す方向Ｂ１、Ｂ２に移動可能であり、方向Ｂ２に移動した際に回転円盤１６２のロック溝１６２ａに入り込む。これにより、回転円盤１６２（鍵１５８）の回転が規制される（ロックされる）。連結棒１６４ｃは、第１レバー１６４ａと第２レバー１６４ｂを連結すると共に、回転軸１６４ｄを中心に回転する。連結棒１６４ｃと第２レバー１６４ｂは、第１レバー１６４ａの移動に連動して、それぞれ回動又は移動する。
【００６４】
アクチュエータ１６５は、例えばソレノイドである。アクチュエータ１６５は、動作を行うと、連結された第１レバー１６４ａを引っ張る。具体的には、アクチュエータ１６５は、バネ１６６により方向Ａ１に付勢された第１レバー１６４ａを、方向Ａ２に引っ張り下げる。そして、第１レバー１６４ａが方向Ａ２に下がると、第２レバー１６４ｂは方向Ｂ１に上がる。
【００６５】
バネ１６６は、例えば引張バネであり、第１レバー１６４ａを方向Ａ１に付勢する。アクチュエータ１６５が動作をしていない場合には、第１レバー１６４ａは、バネ１６６に付勢されて方向Ａ１に持ち上げられた状態を維持する。そして、第１レバー１６４ａが方向Ａ１に上がると、第２レバー１６４ｂは方向Ｂ２に下がる。
【００６６】
そして、第２レバー１６４ｂが方向Ｂ２に下がると、第２レバー１６４ｂが回転円盤１６２のロック溝１６２ａに入り込む。これにより、回転円盤１６２（鍵１５８）の回転が規制される。一方で、第２レバー１６４ｂが方向Ｂ１に上がると、第２レバー１６４ｂがロック溝１６２ａから外れる。これにより、回転円盤１６２（鍵１５８）が回転できるようになる。
【００６７】
＜３．自動取引装置の動作制御＞
図７を参照しながら、制御部１８０による自動取引装置１０の動作の制御について説明する。図７は、自動取引装置１０の機能構成の一例を示すブロック図である。
【００６８】
制御部１８０は、顧客操作表示部１２、紙幣処理部１１０、硬貨処理部１２０、通帳処理部１３０、及びカード処理部１４０を制御する。すなわち、制御部１８０は、顧客の操作に基づいて、入金取引・出金取引等の処理を制御する。
【００６９】
制御部１８０は、ＩＤカードリーダー２３、表示入力部２４、背面扉２６を制御する。具体的には、制御部１８０は、ＩＤカードリーダー２３によるＩＤカード２８の読取り、表示入力部２４による表示及び入力を制御する。また、制御部１８０は、背面扉２６の電磁ロックのオン・オフを制御する。例えば、制御部１８０は、ＩＤカードリーダー２３によりＩＤカード２８が認証されると、背面扉２６の電磁ロックをオフにする（解除する）。
【００７０】
制御部１８０は、鍵保管部１５０を制御する。具体的には、制御部１８０は、ＬＥＤ表示部１５４の制御、アクチュエータ１６５のオン・オフの制御、検知部材１６３による鍵１５８の運用位置の検知制御等を行う。また、制御部１８０は、鍵保管部１５０に対する鍵１５８の装着状態に応じて、運用を切り替える。例えば、制御部１８０は、鍵１５８が鍵保管部１５０に装着されている場合には、自動取引装置１０による取引を可能とし、鍵１５８が鍵保管部１５０から拭き取られている場合には、取引を中止にさせる。これにより、鍵１５８が紛失した場合等に、自動取引装置１０が運用することを防止できる。
【００７１】
なお、制御部１８０は、鍵１５８が鍵保管部１５０に装着されていても、鍵１５８が運用位置に位置する場合には取引を可能とし、鍵１５８が取出し位置に位置する場合には取引を中止させても良い。これにより、自動取引装置１０の運用状態で、鍵１５８が抜き取られることを防止できる。
【００７２】
また、制御部１８０は、ＩＤカードリーダー２３がＩＤカード２８を読み取ると、鍵１５８が鍵保管部１５０から抜取り可能となるようにロック機構（回転円盤１６２、回動部１６４、アクチュエータ１６５、及びバネ１６６）のロックを解除する。ここで、制御部１８０は、自動取引装置１０の操作権限を示す権限情報がＩＤカード２８に記憶されている場合に、ロック機構のロックを解除する。これにより、権限の無い係員が背面扉２６を開けても、鍵１５８を鍵保管部１５０から抜き出すことができない。なお、上記では、権限情報がＩＤカード２８に記憶されていることとしたが、これに限定されない。例えば、制御部１８０は、金融機関ホスト４０（図１）からＩＤカード２８の権限情報を取得しても良い。
【００７３】
鍵保管部１５０には、不図示の配線が接続されている。制御部１８０は、鍵保管部１５０に接続された配線が切断されたか否かを検知する断線検知部の機能を有する。制御部１８０は、配線の切断を検知した場合には、報知部１９０により報知を行う。報知部１９０は、例えばアラームを発する。ただし、これに限定されず、報知部１９０は、光を発したり、文字等を表示しても良い。このような報知を行うことにより、係員は、鍵保管部１５０に異常が発生したことを理解できる。
【００７４】
＜４．現金補充時の係員の操作の流れ＞
次に、紙幣カセット１１２に紙幣を補充する（又は、硬貨カセット１２２に硬貨を補充する）際の、係員の操作の流れについて説明する。なお、紙幣カセット１１２から紙幣を回収する（又は、硬貨カセット１２２から硬貨を回収する）際の係員の操作の流れも同様であるので、以下では説明を省略する。
【００７５】
ここでは、鍵１５８が鍵保管部１５０に装着された（具体的には、鍵１５８が運用位置に位置する）状態、すなわち自動取引装置１０が運用可能な状態にあるものとして説明を行う。
【００７６】
まず、係員は、現金（紙幣、硬貨）を補充すべく、所有するＩＤカード２８をＩＤカードリーダー２３にかざす。次に、係員は、表示入力部２４により暗証番号を入力する。暗証番号が正しい場合には、制御部１８０は、ＩＤカード２８を認証し、ＩＤカード２８に記憶された情報（権限情報等）を確認する。
【００７７】
次に、制御部１８０は、自動取引装置１０の運用を中止し、背面扉２６の電磁ロックを所定時間解除する。これにより、係員は、背面扉２６を開けることができる。そして、制御部１８０は、ＩＤカード２８から読み取った権限情報から係員が現金を扱う権限を有すると判断した場合には、アクチュエータ１６５を所定時間オンする。これにより、回転円盤１６２の回動部１６４によるロックが解除され、鍵１５８が運用位置から回転できる状態となる。この際、制御部１８０は、ＬＥＤ表示部１５４を点灯させる。なお、制御部１８０は、扉開閉検知部１０２により背面扉２６が開いたと検知された場合に、ＬＥＤ表示部１５４を点灯させても良い。これにより、ＬＥＤ表示部１５４を無駄に点灯させることを防止できる。
【００７８】
その後、背面扉２６を開けてＬＥＤ表示部１５４が点灯した状態を見た係員は、鍵１５８を抜くことができると判断し、鍵１５８を運用位置から取出し位置へ回転させる。そして、係員は、取出し位置に位置する鍵１５８を抜き取る。
【００７９】
紙幣を補充する場合には、係員は、抜き取った鍵１５８で紙幣カセット１１２の錠部１１４を開錠する。そして、係員は、図８に示すように紙幣カセット１１２を自動取引装置１０から引き出して、紙幣カセット１１２に紙幣を補充する。同様に、硬貨を補充する場合には、係員は、抜き取った鍵１５８で硬貨カセット１２２の錠部１２４を開錠して、硬貨カセット１２２に硬貨を補充する。なお、図８は、鍵１５８にて錠部１１４が開錠された紙幣カセット１１２の引き出し状態を示す図である。
【００８０】
現金の補充後、係員は、錠部１１４又は錠部１２４から鍵１５８を抜き取り、鍵保管部１５０に再度装着させる。これは、鍵１５８が鍵保管部１５０に装着されていないと（具体的には、操作された鍵１５８が運用位置に位置しないと）、自動取引装置１０が運用を行うことができないからである。
【００８１】
その後、係員が背面扉２６を閉めると、扉開閉検知部１０２が背面扉２６の閉まったことを検知する。すると、制御部１８０は、自動取引装置１０の運用中止状態から運用状態へと切り替える。
【００８２】
＜５．まとめ＞
上述した自動取引装置１０は、図３に示すように、装置内部に設けられ、ＩＤカード２８が読み取られてロックが解除された背面扉２６が開いた際に抜き取り可能な鍵１５８が装着された鍵保管部１５０を備える。そして、紙幣カセット１１２の錠部１１４や硬貨カセット１２２の錠部１２４は、抜き取られた鍵１５８によって開錠される。
【００８３】
かかる自動取引装置１０によれば、係員は、ＩＤカード２８を持参していれば、鍵をわざわざ持参していなくても、紙幣カセット１１２や硬貨カセット１２２に紙幣や硬貨を補充したり回収することが可能となる。また、鍵１５８が自動取引装置１０の内部に保管されるので、外部の鍵保管機が不要となり、係員が自動取引装置１０から離れた鍵保管機から鍵を取ってくる煩わしさも解消される。
【００８４】
また、ＩＤカード２８で認証された係員のみが鍵保管部１５０に装着された鍵１５８を引き出すことができるので、鍵１５８を扱う係員を管理しやすくなる。さらに、上記の自動取引装置１０によれば、鍵１５８が運用位置に位置しないと自動取引装置１０が運用を行えないので、鍵１５８が紛失したり持ち去られることを防止できる。
【００８５】
なお、上記では、鍵保管部１５０から抜き取られた鍵１５８によって、紙幣カセット１１２の錠部１１４や硬貨カセット１２２の錠部１２４を開錠することとしたが、これに限定されない。例えば、鍵保管部１５０から抜き取られた鍵１５８によって、通帳処理部１３０やカード処理部１４０に設けられた錠部を開錠することとしても良い。かかる場合にも、係員は、鍵を持参しなくても、ＩＤカードで開錠できない通帳処理部１３０やカード処理部１４０の錠部を開錠することができる。
【００８６】
また、上記では、紙幣カセット１１２の錠部１１４と硬貨カセット１２２の錠部１２４が、鍵保管部１５０に装着された共通の鍵１５８で開錠されることとしたが、これに限定されない。例えば、錠部１１４と錠部１２４は、鍵保管部１５０に装着された別々の鍵でそれぞれ開錠されても良い。
【００８７】
また、上記では、自動取引装置１０を例に挙げて説明したが、これに限定されず、例えば現金支払機や通帳繰越機、消費者金融の受付端末、発券機等の装置の内部に、上述した鍵保管部を設けても良い。
【００８８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８９】
１０    自動取引装置
２３    ＩＤカードリーダー
２６    背面扉
２８    ＩＤカード
１０２    扉開閉検知部
１１２    紙幣カセット
１１４    錠部
１２２    硬貨カセット
１２４    錠部
１５０    鍵保管部
１５２    着脱部
１５３    位置表示部
１５４    ＬＥＤ表示部
１５８    鍵
１６１    シリンダー
１６２    回転円盤
１６３    検知部材
１６４    回動部
１６５    アクチュエータ
１６６    バネ
１８０    制御部
１９０    報知部
【図１】
2015026249.tif 000003
【図２】
2015026249.tif 000004
【図３】
2015026249.tif 000005
【図４】
2015026249.tif 000006
【図５】
2015026249.tif 000007
【図６】
2015026249.tif 000008
【図７】
2015026249.tif 000009
【図８】
2015026249.tif 000010